(57)【特許請求の範囲】
【請求項１】
化粧料収容部５を画成する囲壁６と該囲壁６と同心状の外壁１０を有し、囲壁６の外周に等間隔で複数のねじ部８を有し各ねじ部の間に上下方向挿脱用スペース８１を設けた本体１と、内周壁に前記ねじ部８に対応する間隔で複数の螺合用の突起１９を有し、下面にヒンジ用突片部１８を突設した蓋体３と、前記本体１の囲壁６と外壁１０間の環状空間に回転可能に嵌められた回転リング２とを備え、前記本体１の外壁１０の一部には蓋体３のヒンジ用突片部１８の傾転を許容する開口１００を欠設し、回転リング２の円周上の一部には前記蓋体３のヒンジ用突片部１８を嵌合し枢支する開口部１４を欠設し、回転リング２と回転に対して一体化した蓋体３は、ヒンジ用突片部１８を枢支している開口部１４と本体１の開口１００が合致した位置においてのみ開閉されるようになっていることを特徴とするコンパクト容器。
【請求項２】
本体１が、囲壁６を有する第１部体１Ａと、外壁１０とこれの下端に底壁１１を有する第２部体１Ｂからなっており、これらを組み付けることで構成されている請求項１に記載のコンパクト容器。
【請求項３】
本体１が、囲壁６とこれの下端から鍔状の底壁１１’を一体形成した第１部体１Ａと、前記底壁１１’に外嵌して外壁１０を構成するＣリング状の第２部体１Ｂからなっていて、それらを組み付けることで構成されている請求項１に記載のコンパクト容器。
【請求項４】
本体１が、囲壁６と底壁１１と外壁１０とを一体形成している請求項１に記載のコンパクト容器。
【請求項５】
本体１がストッパ１２を有し、回転リング２がストッパ１２と協働する回転角規制用部を有している請求項１ないし４のいずれかに記載のコンパクト容器。
【請求項６】
回転角規制用部にストッパ１２を乗り越え可能な舌状片１７ａ，１７ｂを有している請求項５に記載のコンパクト容器。
【請求項７】
蓋体３が囲壁６またはこれに嵌合される中皿６’の頂部に当接されるシール材２１を備えている請求項１ないし６のいずれかに記載のコンパクト容器。
【請求項８】
囲壁６ないしはこれに嵌合される中皿６’の頂部に、蓋体３の内面に当接されるシール材２１を備えている請求項１ないし６のいずれかに記載のコンパクト容器。
【請求項９】
回転リング２が、ヒンジ用突片部１８を開き方向に押圧する押圧手段を有するものを含む請求項１ないし８のいずれかに記載のコンパクト容器。
【請求項１０】
蓋体３のヒンジ用突片部１８と回転リング２間にヒンジ用突片部１８を開き方向に押圧する押圧手段を有するものを含む請求項１ないし８のいずれかに記載のコンパクト容器。
【発明の詳細な説明】
【０００１】
【発明の属する技術分野】
本発明はコンパクト容器とりわけ気密性にすぐれたコンパクト容器に関する。
【０００２】
【従来の技術】
ファンデーシヨンで代表される化粧料の一種として、揮発性液たとえば水分やアルコールなどを添加して練り上げたタイプのものが知られている。かかる化粧料（以下含水化粧料と略称する）の容器として、従来、本体に含水化粧料収容部とスポンジ収容部を並列状に設け、前記含水化粧料収容部の外縁部に軟質材料からなるパッキンを取り付け、蓋体には前記パッキンに当接可能な環状突起を設けたコンパクト容器が知られている。
しかし、このコンパクト容器は、蓋体と本体とがヒンジと１８０度位置に設けられたフック型の係合機構によって止められているだけであるため、パッキンに対する環状突起の接触圧が不十分となりやすく、そのためどうしてもシール性が不十分となって水分が揮散しやすいという問題があった。
【０００３】
この対策として、コンパクト容器でなく、雄ねじを外周に有する本体に含水化粧料の収容部を設け、雌ねじを設けた蓋体を本体に螺合するようにしたねじ式の容器が使用されている。この容器は螺合締付けにより蓋体に設けたパッキンに本体の口縁部が密接するためシール性が良好であるが、本体と蓋体とは機構的に独立した部材であり、化粧に際して、いちいち蓋体を本体から取外さなければならないため、蓋体の置き場所を考慮することとなって面倒であり、車中などにおいて化粧するときに蓋体が紛失してしまいやすいという問題があるほか、鏡がないため、別途鏡を用意するか、あるいは鏡のあるところで使用しなければならない不便さがあった。
【０００４】
【発明が解決しようとする課題】
本発明は前記のような問題点を解消するために創案されたもので、その目的とするところは、比較的簡単な構造でありながら気密性にすぐれ、しかも蓋体と本体が分離せず、使い勝手がよいコンパクト容器を提供することにある。
本発明のコンパクト容器は揮発成分を含有する化粧料（クリーム状、ペースト状なとを含む）に好適であるほか、通常の乾いた化粧料のコンパクト容器としても好適である。
【０００５】
【課題を解決するための手段】
上記目的を達成するため本発明は、化粧料収容部を画成する囲壁と該囲壁と同心状の外壁を有し、囲壁の外周に等間隔で複数のねじ部を有し各ねじ部の間に上下方向挿脱用スペースを設けた本体と、内周壁に前記ねじ部に対応する間隔で複数の螺合用の突起を有し、下面にヒンジ用突片部を突設した蓋体と、前記本体の囲壁と外壁間の環状空間に回転可能に嵌められた回転リングとを備え、前記本体の外壁の一部には蓋体のヒンジ用突片部の傾転を許容する開口を欠設し、回転リングの円周上の一部には前記蓋体のヒンジ用突片部を嵌合し枢支する開口部を欠設し、回転リングと回転に対して一体化した蓋体は、ヒンジ用突片部を枢支している開口部と本体の開口が合致した位置においてのみ開閉されるようになっていることを特徴としている。
【０００６】
本発明は、前記本体が囲壁と外壁と底壁を含む全体を１部材で構成されている場合のほか、囲壁を有する第１部体と、外壁とこれの下端に底壁を有する第２部体の２体からなっていて、それらを組み付けることにより構成されるものを含む。また、囲壁とこれの下端から鍔状の底壁を一体形成した第１部体と、前記底壁に外嵌して外壁を構成するＣリング状の第２部体からなっていて、それらを組み付けることで構成されているものを含む。
シール構造としては、蓋体が囲壁またはこれに嵌合される中皿の頂部に当接されるシール材を備えていてもよいし、囲壁ないしはこれに嵌合される中皿の頂部に、蓋体の内面に当接されるシール材を備えていてもよい。
好ましくは、前記本体はストッパを有し、回転リングにはストッパと協働する回転角規制用部を有している。
また、好ましくは、回転リングにヒンジ用突片部を開き方向に押圧する押圧手段が設けられるか、あるいはこれに代えて、蓋体のヒンジ用突片部と回転リング間にヒンジ用突片部を開き方向に押圧する押圧手段が設けられる。
【０００７】
【発明の実施の形態】
以下本発明の実施例を添付図面を参照して説明する。
図１ないし図９は本発明によるコンパクト容器の第１実施例を示している。
１は本体であり、この実施例では、第１部体１Ａと、これよりも外径の大きな第２部体１Ｂとからなっている。２は回転リング、３は蓋体である。それら第１部体１Ａと第２部体１Ｂと回転リング２および蓋体３は、それぞれ合成樹脂の成形体からなっている。
【０００８】
第１部体１Ａは、図４に単体の状態で示しているように、内部に含水化粧料の収容部５を有して全体がカップ状をなしており、収容凹部５を形成している囲壁６の中間部よりも適度に上位には、外方に突出する鍔部７を有し、囲壁６には円周上で複数のねじ部８が等間隔で形成されている。それらねじ部８は、それぞれ基端が鍔部７に位置し、基端に続く台形状の主部が囲壁６の反時計方向に延びており、該主部は反時計方向で次第に幅が狭くなるように傾斜した斜面８０を有している。各ねじ部８，８の間には、後述する蓋体３の突起の挿脱を許容するため突起の周方向長さよりも大きな挿脱用スペース８１が形成されている。
第１部体１Ａの底部には第２部体１Ｂに嵌合接着するための突台部９が設けられており、該突台部９には、必要に応じてねじ部８の位置決めのための突起９０が設けられる。
【０００９】
第２部体１Ｂはカバーとして機能するもので、図５に単体の状態を示している。第２部体１Ｂは前記第１部体１Ａよりも外径が大きく、かつ高さの低い外壁１０を有して全体が浅いカップ状をなしており、外壁１０の円周上には、後述する蓋体３のヒンジ用突片部１８の傾転を許容する開口１００が欠設されている。底壁１１には前記第１部体１Ａの突台部９を嵌合する凹部１１０を有し、該凹部１１０には必要に応じて突起の嵌まる溝１１１が配設される。そして前記底壁１１には回転リング２の回転を規制するためのストッパ１２が突設されている。
【００１０】
回転リング２は図６に単体の状態を示しており、前記第２部体１Ｂの外壁１０の内径と略一致する外径を有するともに、前記第１部体１Ａの囲壁６の外径と略一致する内径を有しており、外壁１０と囲壁６との間の環状空間に回転可能に嵌められる。
回転リング２は、内径部分の口縁付近に前記第１部体１Ａの鍔部７に対応する段部１３を有し、これらにより、組立て時に回転リング２は抜け止めされる。
また、回転リング２は、前記第２部体１Ｂの開口１００と略一致する幅の開口部１４が円周の一部に欠設されている。
そして、開口部１４の領域に、図２と図３のように、蓋体３の後述するヒンジ用突片部１８を開放側に押圧する手段１５を有している。この例では、押圧手段１５は開口部１４の内径部分に一体形成された弾性を有する突片からなり、突片の上端には突条が付設され、これでヒンジ用突片部１８の側面を常時付勢している。
【００１１】
回転リング２は、切欠き部１４と所要回転角位置が変位した部分に前記ストッパー１２と協働する回転角規制用部を有している。この例では、回転角規制用部は、下面に向かって開放した溝形空所１６として構成されており、該溝形空所１６には２枚の舌状片１７ａ，１７ｂが設けられている。１枚の舌状片１７ａは溝形空所１６の右端壁に近く位置し、回転リング２が蓋体３とともに閉まり方向に回転されたときに、前記ストッパ１２との接触によって弾性変形し、ストッパ１２を抜けることによりカチンと閉まり状態を感得させるとともに、みだりに蓋体３が回転されるのを防止する。また、他方の舌状片１７ｂは、溝形空所１６の左端壁に近く位置し、回転リング２が蓋体３とともに開き方向に回転されたときに、前記ストッパ１２との接触によって弾性変形し、ストッパ１２を抜けることにより、開放回転角位置に至ったことを感得させるとともに、みだりに蓋体３が回転されるのを防止する。
【００１２】
蓋体３は、下面一側にヒンジ用突片部１８を突設しており、該ヒンジ用突片部１８は、前記回転リング２の開口部１４に嵌められ、枢ピン２２が通されることによって回転リング２に対して開閉自在に枢着される。
蓋体３は、図７のように、下面から凹入部が形成されており、その凹入部の内周壁には、前記本体１のねじ部８と螺合するための複数の突起１９が所定間隔で形成されている。該突起１９は短柱状でもよいが、好ましくは突条である。
前者の場合には、本体１のねじ部斜面８０と鍔部７との間に進入して密接可能な径とすることが必要である。後者の場合には、ねじ部の斜面８０に合致する角度の傾斜面１９０を上縁に設けるものであり、高さ方向の寸法は本体１のねじ部斜面８０と鍔部７との間に進入して密接可能なものとする。
【００１３】
前記蓋体３の凹入部の内天面には鏡２０を固着しており、かつ鏡よりも開口側の領域には本体１の囲壁６の頂面に密接可能なシール材２１が取り付けられている。シール材２１はゴムや軟質合成樹脂からなり、この実施例では、シール材２１は、凹入部の形状に合致するように嵌着され、中間の内鍔２１０によって鏡２０を保持している。この構成は鏡２０の固定を良くし、また、衝撃を受けたときの緩衝効果をよくすることができる利点がある。
２２はスポンジであり、含水化粧料２３の上面に載せられる。
なお、開閉操作を容易にするためと密閉状態の確認を容易にするために、本体の外面（この例では第２部体１Ｂの外面）たとえばねじ部８の終端位置に相当する部位の外面に第１の表示Ａを設け、蓋体３の外面にはヒンジ用突片部１８が本体１の切欠き１００に合致した位置に相当する位置に第２の表示Ｂを設けている。
【００１４】
この実施例において、コンパクト容器として組み立てるには、図２の状態における蓋体３のヒンジ用突片部１８を回転リング２の開口部１４に嵌め、枢ピン２２を挿入して連結し、アッセンブリーとする。
ついで、このアッセンブリーを蓋体３を閉じた状態で第２部体１Ｂに嵌める。そして最後に蓋体３を開放し、回転リング２内に第１部体１Ａを嵌合する。このときに突台部９または第２部体１Ｂの凹部１１０に接着剤を塗布しておくもので、突台部９と凹部１１０との嵌合によって第１部体１Ａと第２部体１Ｂとは一体化される。回転リング２は第１部体１Ａの鍔部７によつて抜け止めが図られる。
【００１５】
図１０ないし図１３は本発明によるコンパクト容器の第２実施例を示している。この第２実施例は、第１実施例における本体１の第１部体１Ａと第２部体１Ｂとを一体成形品で構成したことに特徴がある。
本体１は内部に含水化粧料を収容するための収容部５を画成する囲壁６を内径側に有し、該囲壁６の外面には、高さ方向略中間部位から下方に厚肉部６０が周方向で所定の間隔をおいて複数（図では４個）形成されており、各厚肉部６０の下端からは、半径方向に延びる底壁１１が連設され、その底壁１１の半径方向外端に前記囲壁６よりも高さの低い外壁１０が形成されている。前記各底壁１１間は穴１１２となっている。
【００１６】
前記囲壁６の外面には円周上で等間隔にねじ部８が形成されている。それらねじ部８は、基端が厚肉部６０の上面に位置し、基端に続く台形状の主部が囲壁の反時計方向に延びており、該主部は反時計方向で次第に幅が狭くなるように傾斜した斜面８０を有している。各ねじ部８の間には蓋体３の突起１９の幅よりも大きな挿脱用スペース８１が形成される。
前記外壁１０には円周方向の一部に蓋体３のヒンジ用突片部１８の傾転を許容する開口１００を有している。また、開口縁には回転リング２の抜け止めのためのアンダカット１１３が複数個形成されている。そして、底壁１１には、回転リング２の回転を規制するストッパ１２が突設されている。
回転リング２は外周面に係合用の突条２４を有している点で第１実施例と異なるが、他の構成は同様である。また、蓋体３の構成は第１実施例と同じである。よって同じ部分に同じ符号を付し、説明は援用するものとする。
【００１７】
この実施例のものを組立てるには、図１３の状態における蓋体３のヒンジ用突片部１８を回転リング２の開口部１４に嵌め、枢ピン２２を挿入して連結する。ついで蓋体３を開放状態として、回転リング２を本体１の囲壁６と外壁１０の間に嵌めればよい。こうすれば、回転リング２の外周面の突条２４が外壁１０のアンダカット１１３を乗り越え、図１２のように回転のみを許すように保持される。
【００１８】
図１４と図１５は本発明の第３実施例を示している。
この実施例においては、回転リング２と蓋体３は第１実施例と同じ構成であるが、本体１が底鍔付きの第１部体１Ａとリング状の第２部体１Ｂからなっている点で異なっている。
すなわち、第１部体１Ａは、内部に含水化粧料を収容するための収容部５を形成している囲壁６の中間部に段部を有せしめるべく下方に厚肉部６０が形成されており、囲壁６には円周上で等間隔にねじ部８が形成されている。それらねじ部８は、第２実施例と同様に、基端が厚肉部６０の段部に位置し、基端に続く台形状の主部が囲壁６の反時計方向に延びており、該主部は反時計方向で次第に幅が狭くなるように傾斜した斜面８０を有している。各ねじ部８の間には蓋体３の突起１８の幅よりも大きな挿脱用スペース８１が形成される。
【００１９】
囲壁６の下端から半径方向には、リング状の底鍔１１’が一体形成されており、底鍔１１’の一部には回転リング２の回転を規制するストッパ１２が突設されている。
第２部体１Ｂは外壁ないしカバーとして機能するもので、前記第１部体１Ａの鍔部７までの対応する高さと、底鍔１１’の外径略一致するかやや小さい内径を有し、一部に蓋体３のヒンジ用突片部１８の傾転を許容する開口１００を有して全体が平面Ｃ状リングをなしている。そして、上縁には回転リング２の抜け止めのための内鍔１１４が形成されている。
回転リング２は外周面に第２部体１Ｂの内鍔１１４と係合するための段部２５を有している点で第１実施例と異なるが、他の構成は同様である。なお、図１４では開口１４を明確に示すため、ヒンジ用突片部１９を開放側に押圧する手段１５は仮想線で示している。蓋体３の構成は第１実施例と同じである。よって同じ部分に同じ符号を付し、説明は援用するものとする。
【００２０】
この実施例のものを組立てるには、図１４の状態における蓋体３のヒンジ用突片部１８を回転リング２の開口部１４に嵌め、枢ピン２２を挿入して連結する。ついで蓋体３を開放状態として、回転リング２を第１部体１Ａに嵌め、この状態で第２部体１Ｂを被せ、第２部体１Ｂの下部内面と第１部体１Ｂの底鍔１１’の外面とを接着すればよい。
【００２１】
なお、以上説明した構造はあくまでもいくつかの例であり、本発明はそれに限定されるものではない。
（１）含水化粧料の収容部５は囲壁６に直接設けられこれに化粧料が直接充填されるほか、交換可能な中皿６’に化粧料が充填され、中皿６’を囲壁６に嵌合されることによって構成されてもよい。この場合、シール材２１は、図１６（ａ）のように中皿６’の開口フランジ６００に密接される。
（２）シール材２１は必ずしも実施例１ないし実施例３のように鏡２０の保持部材を兼ねていなくてもよく、図１６（ｂ）のように蓋体３の内面にリング状に固着されていてもよい。図１６（ｂ）の左半部は含水化粧料の収容部５が囲壁６に直接設けられている場合を、同図の右半部は交換可能な中皿６’を用い、この中皿６’を囲壁６に嵌合された場合をそれぞれ示している。
（３）シール材２１は蓋体３側に設けられる場合に限定されず、囲壁６または中皿６’に設けられている場合を含む。図１６（ｃ）はこの例を示しており、中皿６’のフランジ６００を囲繞するようにシール材２１を取り付け、該シール材２１に蓋体３の内面が接触するようになっている。蓋体３の接触面は突条を有していてもよい。
（４）回転角規制用部は、本体１の底壁１１のストッパー（突起）１２と回転リング２の溝状空所１６の関係でなくてもよい。すなわち、本体１の外壁１０の内面または第２部体１Ｂの外壁１０の内面に突起１２を設けて溝状空所１６とで機能させるようにしてもよい。あるいは、蓋体３の下面に突起（または溝）を設け、対向する本体１の囲壁６の上面に溝（または突起）を設けてもよい。
（５）蓋体３のヒンジ用突片部１８に対する押圧手段１５は、回転リング２に設けられる場合に限らない。すなわち、ばね部材を使用し、これで回転リング２と蓋体３とを結んでもよい。図１７（ａ）（ｂ）はその例を示しており、ヒンジ用突片部１８の幅方向一側に溝穴１８０を形成する一方、回転リング２の開口部１４の内側には係止用溝２８を欠設し、前記凹入部１８０にばねたとえばキャンセルばね１５’を挿入し、一端を溝穴内面に係止させるとともに他端を係止用溝２８に係止させている。
（６）コンパクトの外観形状は必ずしも円形に限られず、図１８のように、多角形状としてもよい。この場合には、本体１の外壁の肉厚を増し、同様に蓋体３の囲壁の肉厚を増せばよい。また、蓋体３は軽量化のために盗みを設けてもよく、２部体で構成してもよい。
【００２２】
【実施例の作用】
本発明の第１実施例においては、蓋体３はヒンジ用突片部１８が本体１（第２部体１Ｂ）の開口１００と合致した位置においてのみ開閉することができる。そこで、この位置で蓋体３を閉じる。これにより、シール材２１は含水化粧料の収容部５を画成している囲壁６の頂面に接する。それと同時に、蓋体３の各突起１９は、囲壁６の各ねじ部８間の挿脱用スペース８１に進入する。
そこで、蓋体３を時計方向に回動する。蓋体３はヒンジ用突片部１８によって回転リング２と連結され、回転に対しては一体化しているため、回転リング２は本体１の囲壁６と外壁１０との間で蓋体３と同回転角度回動し、それによって蓋体３の各突起１９は囲壁６の各ねじ部８と噛み合い、ねじ部８の斜面８０との摺接によって、下方すなわち本体１に接近する方向へと牽引され、それによってシール材２１と囲壁６の頂面とが強接しあい、気密シール状態が形成される。
この回動時に、回転リング２の溝状空所１６の舌状片１７ａが本体１のストッパー１２と接触し、舌状片１７ａがストッパー１２を乗り越える抵抗と続く開放によって閉じ完了状態が感得される。これが図１（ａ）と図８の状態である。
【００２３】
次に、化粧料を使用するには、前記状態から、蓋体３を反時計方向に回動する。こうすれば、蓋体３と回転リング２は一体に本体１内で回動し、蓋体３の突起１９が囲壁６のねじ部８の斜面８０に沿って移動するため、シール材２１によるシールが緩められ、回転の継続により突起１９は囲壁６のねじ部８から離脱した位置（挿脱用スペース８１）に位置する。同時に、蓋体３のヒンジ用突片部１８は本体１の開口１００に整合する位置に至る。
したがって、蓋体３はヒンジ用突片部１８と枢ピン２２を支点として傾転することができ、図１（ｃ）のように開放される。よって、蓋体３を分離しないまま含水化粧料を取出し、蓋体３に付属している鏡２０を見ながら化粧を施すことができる。
【００２４】
実施例では、回転リング２の開口部位の内側位置に突片１５を有しているため、前記のように蓋体３のヒンジ用突片部１８が本体１の開口１００と整合すると、それまでの本体外壁１１によるヒンジ用突片部１８の受けとめが開放されるため、突片１５の押圧力によってヒンジ用突片部１８は外転し、自動的に開披される。したがって、使い勝手がさらに良くなる。また、図１７の例では、キャンセルばね１５’が働き、ヒンジ用突片部１８は外転し、自動的に開披される。
なお、前記のように蓋開放可能状態にいたるときには、回転リング２の回転角規制用の溝状空所１６の舌状片１７ｂが本体１のストッパー１２と接触し、舌状片１７ｂがストッパー１２を乗り越える抵抗と続く開放と溝状空所１６の端壁への衝突によって開き可能位置を感得することができる。また、この状態では蓋体３に回転方向の外力が作用しても、ストッパー１２と舌状片１７ｂにより回転がロックされているため、蓋体３はみだりに回転されない。したがって、ご操作によるヒンジ用突片部１８と本体１の開口壁のかじりを防止することができる。
第２実施例および第３実施例の作用も同様である。
【００２５】
【発明の効果】
以上説明した本発明の請求項１によれば、蓋体３がねじによって本体１に螺合されるため気密性が高く、化粧料に含有されている揮発分の放散を確実に防止することができる。しかも、蓋体３が独立した部品ではなく、回転リング２に対して開閉可能に枢支されていて、その回転リング２が本体１に回転可能に組み込まれており、蓋体３のヒンジ用突片部１８が本体１の外壁１０の一部に設けた開口１００と合致した回転角位置において、蓋体３が開閉可能であるため、通常のねじ式と違っていちいち開放した蓋体３をテーブルなどに置いたりする必要がなく、軽易に素早く化粧をほどこすことができるというすぐれた効果が得られる。
請求項４によれば、本体１と回転リング２と蓋体３の３部品数で構成されているため、金型費などの製造コストおよび組立てコストを低減することができるというすぐれた効果が得られる。
請求項５によれば、本体１がストッパ１２を有し、回転リング２がストッパ１２と協働する回転角規制用部を有しているため、蓋体３の開披可能位置とシール完了位置が確定され、いたずらに蓋体３を過度に回転して破損することがないというすぐれた効果が得られる。
請求項６によれば、さらに回転角規制用部が、ストッパ１２を乗り越え可能な舌状片１７ａ，１７ｂを有しているため、開披可能位置とシール完了位置を確実に感得することができるとともに、良好なロック機能が得られ、不用意に蓋体３が回動されず、シール状態および蓋開放状態を確実に保つことができるというすぐれた効果が得られる。
請求項９と１０によれば、蓋体３が所定の回転角位置に至ると、自動的に開披されるため、使い勝手がよくなるというすぐれた効果が得られる。
【図面の簡単な説明】
【図１】（ａ）は本発明によるコンパクト容器を閉じ状態で示す斜視図、（ｂ）は蓋体を回転した状態の斜視図、（ｃ）は蓋体を開披した状態を示す斜視図である。
【図２】本発明の第１実施例を分解状態で示す斜視図である。
【図３】第１実施例を閉じ状態で示す部分切欠縦断面図である。
【図４】（ａ）は第１実施例における第１部体の断面図、（ｂ）は同じくその正面図である。
【図５】（ａ）は第１実施例における第２部体の平面図、（ｂ）は同じくその断面図である。
【図６】（ａ）は回転リングの平面図、（ｂ）は同じく部分切欠正面図、（ｃ）は同じく（ａ）のＸ−Ｘ線に沿う断面図である。
【図７】（ａ）は蓋体の平面図、（ｂ）は（ａ）のＹ−Ｙ線に沿う断面図である。
【図８】（ａ）は第１実施例における閉止状態を示す平面図、（ｂ）は同じくそのときの本体と蓋体との取り合いを示す正面図である。
【図９】（ａ）は第１実施例における開放位置に至ったときの状態を示す平面図、（ｂ）は同じくそのときの本体と蓋体との取り合いを示す正面図である。
【図１０】本発明の第２実施例の斜視図である。
【図１１】本発明の第２実施例の本体平面図である。
【図１２】図１１のＺ−Ｚ線に沿う断面図である。
【図１３】本発明の第２実施例の分解斜視図である。
【図１４】本発明の第３実施例の分解斜視図である。
【図１５】第３実施例を閉止状態で示す断面図である。
【図１６】（ａ）は本発明におけるシール構造の他の例を示す部分的断面図、（ｂ）はシール構造の他の例を示す部分的断面図、（ｃ）はシール構造の他の例を示す部分的断面図である。
【図１７】（ａ）は本発明における蓋体自動開披機構の他の例を分解状態で示す斜視図、（ｂ）は同じくその組立て状態を示す部分的断面図である。
【図１８】本発明の外観形状の変化例を示す斜視図である。
【符号の説明】
１  本体
１Ａ  第１部体
１Ｂ  第２部体
２  回転リング
３  蓋体
５  化粧料の収容部
６  囲壁
８  ねじ部
１０  外壁
１００  開口
１２  ストッパー
１４  開口部
１５  突片
１６  回転角規制用の溝状凹所
１７ａ，１７ｂ  舌状片
１８  ヒンジ用突片部
１９  突起
２１  シール材
【図１】
0003571931.tif 000002
【図２】
0003571931.tif 000003
【図３】
0003571931.tif 000004
【図４】
0003571931.tif 000005
【図５】
0003571931.tif 000006
【図６】
0003571931.tif 000007
【図７】
0003571931.tif 000008
【図１０】
0003571931.tif 000009
【図８】
0003571931.tif 000010
【図９】
0003571931.tif 000011
【図１１】
0003571931.tif 000012
【図１２】
0003571931.tif 000013
【図１３】
0003571931.tif 000014
【図１４】
0003571931.tif 000015
【図１５】
0003571931.tif 000016
【図１６】
0003571931.tif 000017
【図１７】
0003571931.tif 000018
【図１８】
0003571931.tif 000019